(57)【要約】【課題】乾燥中、風に飛ぶことが無く、乾燥後、簡単に複数のタオル等をまとめて４つ折りに出来、かつすばやく取り込むことが可能な物干し器を提供する。【解決手段】本体を物干し竿等にぶら下げることが出来るよう、フック（１５ａ、ｂ）を設ける。また、つまみ（４）を緩めることにより、支柱上部（１ａ〜１ｆ）及び支柱下部（５ａ〜ｆ）の高さをあらかじめ調節することが出来る。回転自在に支持された回転軸（１０）から法線方向に延び、水平姿勢と垂下姿勢との間を揺動する回転式干し棒（１１ａ〜ｆ）を設ける。回転式干し棒（１１ａ〜ｆ）の下方から側方へずれており、かつ、開閉する一対の挟み棒（８ａ〜ｆ及び９ａ〜ｆ）を設ける。【選択図】  図１
2004329383.tif 000002
【特許請求の範囲】
【請求項１】
回転自在に支持された回転軸（１０）と前記回転軸に取り付けられ、前記回転軸から法線方向に延び、水平姿勢と垂下姿勢との間を揺動する複数の回転式干し棒（１１ａ〜ｆ）を設けた物干し器。
【請求項２】
前記それぞれの回転式干し棒（１１ａ〜ｆ）が水平姿勢にある時、前記回転式干し棒（１１ａ〜ｆ）の下方に位置する一対の挟み棒（８ａ〜ｆ及び９ａ〜ｆ）を備えており、前記一対の挟み棒（８ａ〜ｆ及び９ａ〜ｆ）が開閉する請求項１記載の物干し器。
【請求項３】
前記一対の挟み棒（８ａ〜ｆ及び９ａ〜ｆ）は閉じた状態で、前記回転式干し棒（１１ａ〜ｆ）の下方から側方へずれている請求項２記載の物干し器。
【請求項４】
前記一対の挟み棒（８ａ〜ｆ及び９ａ〜ｆ）のうち、同じ側の挟み棒は、連動して開閉する請求項２又は３に記載の物干し器。
【発明の詳細な説明】
【０００１】
【発明の属する技術分野】
この発明は、乾燥中、風に飛ぶことが無く、乾燥後、簡単に複数のタオル等をまとめて４つ折りに出来、かつ、すばやく取り込むことが可能な物干し器に関するものである。
【０００２】
【従来の技術】
従来、タオル等を洗濯後干す場合、洗濯バサミに挟むことによって吊るす、又は２つ折りにして物干し棒に引っ掛けるだけであった。
【０００３】
【発明が解決しようとする課題】
そのために次のような欠点があった。
（イ）  乾燥後、取り込む際に洗濯物を一つ一つ取り込まなければならない。
（ロ）  取り込んだ後に洗濯物を一つ一つ畳まなければならない。
本発明は、これらの欠点を解決するためになされたものである。
【０００４】
【課題を解決するための手段】
回転自在に支持された回転軸（１０）と前記回転軸に取り付けられ、前記回転軸から法線方向に延び、水平姿勢と垂下姿勢との間を揺動する複数の回転式干し棒（１１ａ〜ｆ）を設ける。
前記それぞれの回転式干し棒（１１ａ〜ｆ）が水平姿勢にある時、前記回転式干し棒（１１ａ〜ｆ）の下方に位置する一対の挟み棒（８ａ〜ｆ及び９ａ〜ｆ）を備えており、前記一対の挟み棒（８ａ〜ｆ及び９ａ〜ｆ）は開閉する。
前記一対の挟み棒（８ａ〜ｆ及び９ａ〜ｆ）は閉じた状態で、前記回転式干し棒（１１ａ〜ｆ）の下方から側方へずれている。
前記一対の挟み棒（８ａ〜ｆ及び９ａ〜ｆ）のうち、同じ側の挟み棒は、連動して開閉する。
本発明は、以上の構成からなる物干し器である。
【０００５】
【発明の実施の形態】
以下、本発明の実施の形態について説明する。
連設された複数の回転式干し棒（１１ａ〜ｆ）を設ける。回転式干し棒（１１ａ〜ｆ）の片方の端はそれぞれ回転軸（１０）と繋がっており、回転軸（１０）は支柱上部（１ａ〜ｆ）に設けてある穴をそれぞれ貫通し、片方の端はつまみ２と繋がっている。また、ささえ棒（１３）の片方の端は回転軸（１０）と繋がっている。回転式干し棒（１１ａ〜ｆ）は、ささえ棒（１３）及びストッパー（３）により地面に対し平行にあるが、ストッパー（３）を外し、つまみ（２）を下方向に９０度下方向に回転することにより回転式干し棒（１１ａ〜ｆ）は全て下方向に９０度回転する。
【０００６】
回転式干し棒と対になる挟み棒（８ａ〜ｆと９ａ〜ｆ）を設ける。右挟み棒（８ａ〜ｆ）の片方の端は支柱下部接合部（７ａ〜ｆ）によりそれぞれ支柱下部（５ａ〜ｆ）と接合されている。左挟み棒（９ａ〜ｆ）の片方の端はそれぞれ棒６と繋がっており、棒（６）は支柱下部接合部（７ａ〜ｆ）にある穴をそれぞれ貫通しており、棒（６）の端を右方向に引くと、左挟み棒（９ａ〜ｆ）は全て右方向に動き、右挟み棒（８ａ〜ｆ）と隣接する。その際に、回転式干し棒（１１ａ〜ｆ）の位置は左右挟み棒（８ａ〜ｆと９ａ〜ｆ）よりも左側にある。
【０００７】
支柱上部（１ａ〜ｆ）は支柱下部（５ａ〜ｆ）に摺動自在に取り付けられており、つまみ（４）を緩めることで相互に上下に摺動し、これにより高さを調節する。
【０００８】
【実施例】
フック（１５ａ、ｂ）により、本体を物干し竿等に吊るし、当該物干し器下方に十分な空間を確保する。その後、回転式干し棒（１１ａ〜ｆ）に２つ折にしたタオル、衣類、被服、おしめ、ズボン、スラックス等長尺物を１枚ずつ懸架する。その際に、左右挟み棒（８ａ〜ｆ及び９ａ〜ｆ）のそれぞれの間に２つ折にした洗濯物を通して挟むが、２つ折りにした洗濯物のさらに半分の位置で左右挟み棒（８ａ〜ｆ及び９ａ〜ｆ）が挟めるようにつまみ（４）によりあらかじめ調節する。
【０００９】
ストッパー（１２）を外すことによりスプリングの力で棒（６）が右に引かれ、左挟み棒（９ａ〜ｆ）は全て右方向に動き、右挟み棒（８ａ〜ｆ）と隣接することにより、間にある洗濯物をそれぞれ挟む。
【００１０】
以上のような状態で洗濯物を干す。また、乾燥後取り込む際には、ストッパー（３）を外し、つまみ（２）を下方向に９０度回転させることにより、ささえ棒（１３）はつまみ（２）を中心に後ろ方向に９０度回転し、回転式干し棒（１１ａ〜ｆ）はつまみ（２）を中心に９０度下方向に動く。
【００１１】
回転式干し棒（１１ａ〜ｆ）が下方向に９０度回転することにより、干してある洗濯物は回転式干し棒（１１ａ〜ｆ）より外れるが、洗濯物の上半分は挟み棒（８ａ〜ｆ及び９ａ〜ｆ）を境に下に垂れ下がり４つ折となる。その際に、回転式干し棒（１１ａ〜ｆ）は左右挟み棒（８ａ〜ｆ及び９ａ〜ｆ）よりそれぞれ左側にあるため、洗濯物は全てそれぞれ左右挟み棒（８ａ〜ｆ及び９ａ〜ｆ）より左側に垂れ下がる。
【００１２】
その後、全ての洗濯物を手前に引くことにより、洗濯物は４つ折で取り込むことが出来る。
【００１３】
【発明の効果】
（イ）  洗濯バサミや洗濯物を引っ掛けるフックを必要とせず、簡単に干すことが出来る。
（ロ）  左右挟み棒（８ａ〜ｆ及び９ａ〜ｆ）で洗濯物を挟むことにより、風が吹いても洗濯物が飛ぶことがない。
（ハ）  乾燥後、洗濯物を取り込むときに、簡単な作業で一度に多くの洗濯物を４つ折に畳むことが出来る。
（ニ）  洗濯物をまとめて横に引っ張ることにより、一度に多くの洗濯物を取り込むことが出来る。
【図面の簡単な説明】
【図１】本発明の斜視図（洗濯物等を干す前の状態）
【図２】本発明の斜視図（洗濯物等を取り込むときの状態）
【図３】本発明の実施例図（洗濯物等を干している状態）
【図４】本発明の実施例図（洗濯物等を取り込むときの状態）
【図５】本発明の分解斜視図
【図６】本発明の正面図（洗濯物等を干す前の状態）
【図７】本発明の正面図（洗濯物等を取り込むときの状態）
【図８】本発明の背面図（洗濯物等を干す前の状態）
【図９】本発明の平面図（回転式干し棒が上がっており、かつ、挟み棒が閉じている状態）
【図１０】本発明の右側面図（洗濯物等を干す前の状態）
【図１１】本発明の左側面図（洗濯物等を干す前の状態）
【符号の説明】
（１ａ〜ｆ）  支柱上部
（２）つまみ
（３）ストッパー
（４）つまみ
（５ａ〜ｆ）支柱下部
（６）棒
（７）支柱下部接合部
（８ａ〜ｆ）右挟み棒
（９ａ〜ｆ）左挟み棒
（１０）回転軸
（１１ａ〜ｆ）回転式干し棒
（１２）ストッパー
（１３）ささえ棒
（１４）棒
（１５ａ、ｂ）フック
【図１】
2004329383.tif 000003
【図２】
2004329383.tif 000004
【図３】
2004329383.tif 000005
【図４】
2004329383.tif 000006
【図５】
2004329383.tif 000007
【図６】
2004329383.tif 000008
【図７】
2004329383.tif 000009
【図８】
2004329383.tif 000010
【図９】
2004329383.tif 000011
【図１０】
2004329383.tif 000012
【図１１】
2004329383.tif 000013